(57)【要約】【課題】映像データとＢＧＭの楽曲データとを、そのまま併せて再生したのでは、何れか一方が途中で終わる中途半端なものとなり、折角ＢＧＭを挿入しても、ユーザにとって十分に満足できる効果が得られない、という課題がある。【解決手段】本発明の再生装置は、１又は複数の映像データ２０４を記憶可能な記録メディア２０３と、この記録メディアに記録されている映像データの再生時間と同程度の長さの再生時間を有する楽曲再生データを、ネットワークを介して楽曲データベースから受信するネットワーク通信部２０１と、ネットワーク通信部により受信された楽曲再生データと前記記録メディアに記録されている映像データとを併せて再生する再生制御部２１０と、を備えている。【選択図】図２
2011216178.tif 000002
【特許請求の範囲】
【請求項１】
１又は複数の映像データを記憶可能な記憶手段と、
前記記憶手段に記憶されている映像データの再生時間と同程度の長さの再生時間を有する楽曲再生データを、ネットワークを介して外部のサーバから受信する受信手段と、
前記受信手段により受信された楽曲再生データと、前記記憶手段に記憶されている映像データとを併せて再生する再生手段と、
を備える、再生装置。
【請求項２】
前記受信手段は、前記楽曲再生データに対応する楽曲の全体を構成する複数のパートのうちの一部のパートのパートデータを、前記楽曲再生データとして受信する、請求項１に記載の再生装置。
【請求項３】
前記楽曲再生データには、前記楽曲のサビの部分に対応するパートデータが含まれている、請求項２に記載の再生装置。
【請求項４】
前記受信手段は、前記各パートデータの再生時間を含む前記複数のパートに関するパート情報を、前記ネットワークを介して前記外部のサーバから受信し、
前記受信手段が受信した前記各パートデータの再生時間と前記記憶手段に記憶されている映像データの再生時間とを対比して、前記楽曲再生データのパート構成処理を行う処理手段が更に備えられている、
請求項２又は３に記載の再生装置。
【請求項５】
前記記憶手段に記憶されている映像データの再生時間に関する情報を、前記ネットワークを介して前記外部のサーバへ送信する送信手段を更に備え、
前記各パートデータの再生時間と前記映像データの再生時間とを対比して行う前記楽曲再生データのパート構成処理が、前記外部のサーバにて行われる、
請求項２又は３に記載の再生装置。
【請求項６】
前記受信手段は、特定日時におけるランキングデータを、前記ネットワークを介して前記外部のサーバから受信し、
前記受信手段が受信した前記ランキングデータと再生済みの映像データと併せて既に再生済みの楽曲に関するデータとに基づいて、今回再生する映像データと併せて再生すべき楽曲を選定する選曲部が更に備えられている、
請求項１から５の何れかに記載の再生装置。
【請求項７】
映像データを再生する再生装置と、ネットワークを介して前記再生装置と接続され、前記映像データと併せて再生される楽曲再生データを前記再生装置に送信する外部のサーバと、を含む再生システムであって、
前記再生装置は、
１又は複数の映像データを記憶可能な記憶手段と、
前記記憶手段に記憶されている映像データの再生時間と同程度の長さの再生時間を有する楽曲再生データを、前記ネットワークを介して前記外部のサーバから受信する受信手段と、
前記受信手段により受信された楽曲再生データと、前記記憶手段に記憶されている映像データとを併せて再生する再生手段と、
を備える、再生システム。
【請求項８】
前記受信手段は、前記楽曲再生データに対応する楽曲の全体を構成する複数のパートのうちの一部のパートのパートデータを、前記楽曲再生データとして受信する、請求項７に記載の再生システム。
【請求項９】
前記楽曲再生データには、前記楽曲のサビの部分に対応するパートデータが含まれている、請求項８に記載の再生システム。
【請求項１０】
前記受信手段は、前記各パートデータの再生時間を含む前記複数のパートに関するパート情報を、前記ネットワークを介して前記外部のサーバから受信し、
前記受信手段が受信した前記各パートデータの再生時間と前記記憶手段に記憶されている映像データの再生時間とを対比して、前記楽曲再生データのパート構成処理を行う処理手段が更に備えられている、
請求項８又は９に記載の再生システム。
【請求項１１】
前記記憶手段に記憶されている映像データの再生時間に関する情報を、前記ネットワークを介して前記外部のサーバへ送信する送信手段を更に備え、
前記各パートデータの再生時間と前記映像データの再生時間とを対比して行う前記楽曲再生データのパート構成処理が、前記外部のサーバにて行われる、
請求項８又は９に記載の再生システム。
【請求項１２】
前記受信手段は、特定日時におけるランキングデータを、前記ネットワークを介して前記外部のサーバから受信し、
前記受信手段が受信した前記ランキングデータと再生済みの映像データと併せて既に再生済みの楽曲に関するデータとに基づいて、今回再生する映像データと併せて再生すべき楽曲を選定する選曲部が更に備えられている、
請求項７から１１の何れかに記載の再生システム。
【請求項１３】
１又は複数の楽曲再生データを記憶する記憶手段と、
ネットワークを介して、外部装置から該外部装置が記憶する映像データの再生時間に関する情報を受信する受信手段と、
前記受信手段により受信された映像データの再生時間と、前記記憶手段に記憶されている楽曲再生データを構成する複数のパートのうちの一部のパートのパートデータの再生時間とを対比して、前記楽曲再生データのパート構成処理を行う処理手段と、
を備える、サーバ。
【発明の詳細な説明】
【技術分野】
【０００１】
本発明は、ビデオカメラ等で撮影した映像データを再生する再生装置，再生システム及びサーバに関し、特に、映像データと併せて所謂バックグラウンド・ミュージック（ＢＧＭ）を挿入して再生することができる再生装置及び再生システム、並びにこれらに用いるサーバに関する。
【背景技術】
【０００２】
近年、ビデオカメラ等の撮影装置は、多機能化しており、記録した映像データを編集する際に、撮影時に併せて記録した音声データとは別に、ＢＧＭを挿入する機能を備えたものが実用に供されている。
【０００３】
このようなＢＧＭを挿入する機能を有するビデオカメラ等において、予めＢＧＭとして選択可能な楽曲を保持するようにしたものがある。かかるビデオカメラでは、再生時に、ユーザがＢＧＭとして用いる音楽を選択することにより、ビデオカメラは記録時に集音した音声データに代えて、選択した楽曲データを再生する。
【０００４】
しかしながら、このようにビデオカメラ側で楽曲を保持するようにした場合には、楽曲保持容量が限られることから、ＢＧＭとして選択可能な楽曲の数が、おのずから制限されてしまうという課題がある。
【０００５】
かかる課題に関連して、例えば特許文献１では、デジタルカメラで撮像した画像など、撮影時期情報を含む画像を順に再生する、所謂スライドショーを実行する場合、撮影日付をキーにして、その当時の流行していた曲を外部サーバに検索させ、その楽曲データをダウンロードするようにした情報再生装置が開示されている。
【先行技術文献】
【特許文献】
【０００６】
【特許文献１】特開２００６−１６４２２９号公報
【発明の概要】
【発明が解決しようとする課題】
【０００７】
ところが、ビデオカメラ等で撮影した映像データとＢＧＭとして選定した曲の楽曲データとを併せて再生する場合、映像データの再生時間と選定されダウンロードされた楽曲データの再生時間とは一致しない（或いは同等または同程度の長さにならない）のが普通である。従って、そのまま両者を併せて再生したのでは、映像データの再生時間が楽曲データの再生時間よりも長い場合には、ＢＧＭが終了しているにも拘わらず映像のみが音楽無しで再生され続けることになる。また、逆に映像データの再生時間が楽曲データの再生時間よりも短い場合には、ＢＧＭの途中で映像の再生が終了してしまい、挿入されたＢＧＭがどんな曲であったかも判らない場合も生じ得る。
【０００８】
すなわち、再生時間が同等または同程度の長さになることが一般に期待し難い映像データとＢＧＭの楽曲データとを、そのまま併せて再生したのでは、何れか一方が途中で終わる中途半端なものとなり、折角ＢＧＭを挿入しても、ユーザにとって十分に満足できる効果が得られない、といった課題がある。
尚、外部サーバを利用する場合においても、従来では、再生装置側での例えば再生履歴等の状況とは無関係に、外部サーバが検索した曲の楽曲データをダウンロードするので、既にダウンロードしてＢＧＭとして用いた曲が再度選択されてしまい、ユーザが、映像データ毎に固有の印象を付与することを求める場合には、不満足な結果となる、という課題もある。
【０００９】
本発明は、再生装置側に記録した映像データと外部サーバからダウンロードしたＢＧＭの楽曲データとを併せて再生するに際し、映像データの再生時間とできるだけ過不足のない再生時間を有する楽曲再生データをＢＧＭとして再生することができる再生装置，再生システム及びこれらに用いるサーバを提供する、ことを基本的な目的としてなされたものである。
【課題を解決するための手段】
【００１０】
このため、本発明に係る再生装置は、１又は複数の映像データを記憶可能な記憶手段と、前記記憶手段に記憶されている映像データの再生時間と同程度の長さの再生時間を有する楽曲再生データを、ネットワークを介して外部のサーバから受信する受信手段と、前記受信手段により受信された楽曲再生データと、前記記憶手段に記憶されている映像データとを併せて再生する再生手段と、を備えることを特徴としたものである。
【００１１】
また、本発明に係る再生システムは、映像データを再生する再生装置と、ネットワークを介して前記再生装置と接続され、前記映像データと併せて再生される楽曲再生データを前記再生装置に送信する外部のサーバと、を含む再生システムであって、前記再生装置は、１又は複数の映像データを記憶可能な記憶手段と、前記記憶手段に記憶されている映像データの再生時間と同程度の長さの再生時間を有する楽曲再生データを、前記ネットワークを介して前記外部のサーバから受信する受信手段と、前記受信手段により受信された楽曲再生データと、前記記憶手段に記憶されている映像データとを併せて再生する再生手段と、を備えることを特徴としたものである。
【００１２】
これらの構成によれば、記憶手段に記憶されている映像データの再生時間と同程度の長さの再生時間を有する楽曲再生データを外部のサーバから受信して、前記映像データと併せて再生される。
【００１３】
これらの場合において、前記受信手段は、前記楽曲再生データに対応する楽曲の全体を構成する複数のパートのうちの一部のパートのパートデータを、前記楽曲再生データとして受信するようにしてもよい。
【００１４】
この構成によれば、映像データの再生時間が楽曲全体の再生時間よりも短い場合でも、受信手段が外部サーバから受信する楽曲再生データの再生時間を、映像データの再生時間と同程度の長さに構成することができる。
【００１５】
この場合において、前記楽曲再生データには、前記楽曲のサビの部分に対応するパートデータが含まれていることが、より好ましい。
【００１６】
この構成によれば、楽曲再生データには、楽曲中で最も印象深いサビの部分に対応するパートデータが含まれているので、ユーザは、映像データと併せて再生するＢＧＭがどんな楽曲であるかを即座に知ることができる。
【００１７】
また、これらの場合において、前記受信手段は、前記各パートデータの再生時間を含む前記複数のパートに関するパート情報を、前記ネットワークを介して前記外部のサーバから受信し、前記受信手段が受信した前記各パートデータの再生時間と前記記憶手段に記憶されている映像データの再生時間とを対比して、前記楽曲再生データのパート構成処理を行う処理手段が更に備えられていてもよい。
【００１８】
この構成によれば、前記楽曲再生データのパート構成処理を、再生装置側で行うことができる。
【００１９】
或いは、前記記憶手段に記憶されている映像データの再生時間に関する情報を、前記ネットワークを介して前記外部のサーバへ送信する送信手段を更に備え、前記各パートデータの再生時間と前記映像データの再生時間とを対比して行う前記楽曲再生データのパート構成処理が、前記外部のサーバにて行われる、ようにしてもよい。
【００２０】
この構成によれば、前記楽曲再生データのパート構成処理を、外部のサーバ側で行うことができ、再生装置の構成を簡略化することができる。
【００２１】
以上の場合において、前記受信手段は、特定日時におけるランキングデータを、前記ネットワークを介して前記外部のサーバから受信し、前記受信手段が受信した前記ランキングデータと再生済みの映像データと併せて既に再生済みの楽曲に関するデータとに基づいて、今回再生する映像データと併せて再生すべき楽曲を選定する選曲部が更に備えられている、ことが好ましい。
【００２２】
この構成によれば、今回再生する映像データと併せて再生すべき楽曲は、ランキングデータと、再生済みの映像データと併せて既に再生済みの楽曲に関するデータと、に基づいて選定されるので、既にダウンロードしてＢＧＭとして用いた曲が再度選択されてしまうことはなく、当該映像データ毎に固有の印象を付与することができる。つまり、同じ楽曲データが別の映像データで使用されることがなく、ユーザは編集処理を行うことなく、バラエティにとんだ楽曲をＢＧＭとして楽しむことができる。
【００２３】
また、本発明に係るサーバは、１又は複数の楽曲再生データを記憶する記憶手段と、ネットワークを介して、外部装置から該外部装置が記憶する映像データの再生時間に関する情報を受信する受信手段と、前記受信手段により受信された映像データの再生時間と、前記記憶手段に記憶されている楽曲再生データを構成する複数のパートのうちの一部のパートのパートデータの再生時間とを対比して、前記楽曲再生データのパート構成処理を行う処理手段と、を備えることを特徴としたものである。
【００２４】
この構成によれば、外部装置が記憶する映像データの再生時間と同程度の長さの再生時間を有する、パート構成処理された楽曲再生データを、外部装置に対して供給することができる。
【発明の効果】
【００２５】
本発明によれば、再生装置側に記録した映像データと外部サーバからダウンロードしたＢＧＭの楽曲データとを併せて再生するに際し、映像データの再生時間とできるだけ過不足のない再生時間を有する楽曲再生データをＢＧＭとして再生することができる。
【図面の簡単な説明】
【００２６】
【図１】本発明の実施の形態１に係る再生システムの構成の概略を示す模式図
【図２】前記実施の形態１に係る再生装置の構成を示すブロック図
【図３】前記再生システムの動作を説明するためのフローチャート
【図４】前記再生装置の楽曲選択の動作を説明するためのフローチャート
【図５】楽曲のパート構成の一例を示す模式図
【図６】前記再生装置による楽曲再生データのパート構成処理を示すフローチャート
【図７】外部サーバによる楽曲再生データのパート構成処理を示すフローチャート
【発明を実施するための形態】
【００２７】
〔１．実施の形態１〕
以下、本発明の実施の形態１に係る再生装置と外部サーバとを含む再生システムについて、添付図面を参照しながら説明する。
〔１−１．システム構成〕
図１は、実施の形態１における再生装置と、外部サーバとしての楽曲データベース（以下、適宜、ＤＢで表示する）と、を含む再生システムの構成を概略的に示す模式図である。この図に示すように、楽曲ＤＢ１０１と再生装置１０３とは、例えばインターネットなどのネットワーク１０２を介して、相互に接続されている。すなわち、楽曲ＤＢ１０１と再生装置１０３との間での情報やデータ等の伝送は、前記ネットワーク１０２を介して行われる。
【００２８】
前記楽曲ＤＢ１０１は、楽曲データ１０４及び楽曲データ管理情報１０５などのデータを包含している。楽曲データ１０４は、楽曲ＤＢ１０１が保有する楽曲についての楽曲毎のデータそのものである。楽曲データ管理情報１０５は、楽曲ＤＢ１０１が保有する楽曲について、例えば以下のような情報を含んでいる。
・週，月といった期間でのダウンロードの頻度を表すランキング情報
・楽曲毎に、どのようなジャンルの曲であるかを表すジャンル情報
・楽曲毎に、楽曲を構成する複数のパートに関するパート情報、つまり、イントロ，Ａメロ（パートＡ），Ｂメロ（パートＢ），サビ，エンディングといったパート構成を表す情報
【００２９】
再生装置１０３は、例えばビデオカメラで構成され、ユーザが操作するための各種のスイッチやボタン等の操作手段（不図示）や、本体１０３ｂに付属したモニタ装置１０３ｃなどを有している。尚、本体１０３ｂとは別体の外部モニタ装置（不図示）への出力手段を更に備えていてもよい。
本実施形態では、前記再生装置１０３は、以下に詳しく説明するように、記録された映像の映像データと、楽曲ＤＢ１０１からダウンロードした楽曲データと、を併せて（同時に）再生することができる機能を有するものである。
【００３０】
〔１−２．再生装置の構成〕
図２は、再生装置１０３の再生動作を制御する制御系の構成を概略的に示すブロック図である。この制御系は、例えば、マイクロコンピュータを主要部として構成され、それぞれ以下に説明するような機能を有する多数の制御回路等を備えている。尚、かかるハードウェア構成の代わりに、再生システム若しくは再生装置１０３に実装された実行ソフトとして、同様の制御を実現するようにしてもよい。
【００３１】
ネットワーク通信部２０１は、ネットワーク１０２を介して、楽曲ＤＢ１０１との通信処理を行うものである。このネットワーク通信部２０１としては、有線通信に対応したものであってもよく、或いは無線通信に対応したものであってもよい。若しくは両方に対応できるものとしてもよい。
【００３２】
楽曲ＤＢ制御部２０２は、楽曲ＤＢ１０１に送信するデータを生成し、前記ネットワーク通信部２０１に対して、生成したデータの送信を指示する機能を有するものである。また、この楽曲ＤＢ制御部２０２は、ネットワーク通信部２０１から送信したデータに対する楽曲ＤＢ１０１の応答データの受信を行う機能も有している。
【００３３】
映像データ２０４は、例えば、記録メディア２０３に記録されている。記録メディア２０３としては、半導体メディア，ハードディスクドライブ，光ディスクメディア等の何れであってもよい。
【００３４】
ＢＧＭ選曲部２０５は、再生制御部２１０より伝送されて来た日時情報に基づいて、楽曲ＤＢ制御部２０２に対しランキングデータ取得の指示を行う機能を有するものである。また、このＢＧＭ選曲部２０５は、楽曲ＤＢ制御部２０２に対するランキングデータ取得指示により得られたランキングデータに基づいて、ＢＧＭ選曲処理を行う機能を有している。このＢＧＭ選曲処理の詳細については、後述する。
【００３５】
楽曲データ再生部２０６は、ＢＧＭ選曲部２０５により選曲された楽曲の楽曲データを楽曲ＤＢ１０１から取得し、当該楽曲データの再生処理を行う機能を有している。この選曲された楽曲の楽曲データの構成の詳細については、後述する。楽曲データ再生部２０６で再生処理された楽曲データは、オーディオ信号としてスピーカ２１１に出力される。
【００３６】
映像データ管理部２０７は、再生制御部２１０からの指示により、記録メディア２０３に記録されている映像データ２０４から日時情報を取得し、再生制御部２１０に日時情報を伝送する機能を有している。また、この映像データ管理部２０７は、再生制御部２１０からの指示により、映像データ再生部２０８に対して、再生制御部２１０から指示された映像データ２０４内の該当データの再生処理を行う機能も有している。
【００３７】
映像データ再生部２０８は、映像データ管理部２０７からの指示により、指示された映像データを記録メディア２０３の映像データ２０４から取得し、映像データの再生処理を行う機能を有している。映像データ再生部２０８で再生処理された映像データは、映像信号としてモニタ２１２に出力される。尚、このモニタ２１２は、本体１０３ｂに付属したモニタ装置１０３ｃであってもよく、或いは本体１０３ｂとは別体の外部モニタ装置（不図示）であってもよい。
【００３８】
ユーザ操作制御部２０９は、ユーザが再生装置１０３の操作手段（不図示）を操作することにより動作して、ユーザの意思に応じた再生開始指示やジャンルの選択などのＩ／Ｆ（インタフェース）を提供するものであり、ユーザの指示を受けて、再生制御部２１０に対し再生動作開始を指示する機能を有している。
【００３９】
再生制御部２１０は、ユーザ操作制御部２０９からの指示に基づき、映像データ管理部２０７より日時情報を取得し、ＢＧＭ選曲部２０５に対して楽曲の選曲指示を行う機能を有している。また、この再生制御部２１０は、ユーザ操作制御部２０９からの指示に基づき、該当する映像データの再生を指示すると共に、ＢＧＭ選曲部２０５によって選曲された楽曲の楽曲データの再生を指示する機能を有している。
【００４０】
〔１−３．再生システムの動作〕
図３は、図１に示した再生システムの動作の一例を示すフローチャートである。
まず、ユーザが再生装置１０３の操作手段（不図示）を操作することにより、ユーザ操作制御部２０９を動作させて、再生させるべき映像データを選択し、再生の指示を行う（ステップＳ３０１）。このとき、ユーザは、ユーザ操作制御部２０９に対して、好みのジャンルの選択指示を行うことができる。
ユーザ操作制御部２０９は、ユーザからの指示に基づき、再生制御部２１０に対して、好みのジャンルが選択されていた場合はそのジャンルを通知し、映像データの再生を指示する。
【００４１】
次に、再生制御部２１０は、映像データ管理部２０７を介して、記録メディア２０３から、再生指示された映像データの日時情報を取得する（ステップＳ３０２）。
そして、再生制御部２１０は、取得された日時情報およびユーザより指示された好みのジャンル情報をＢＧＭ選曲部２０５に伝送すると共に、ＢＧＭ選曲部２０５に対して、再生指示された映像データと併せて再生すべき楽曲の選曲を行うよう指示する。
【００４２】
ＢＧＭ選曲部２０５は、再生制御部２１０より通知された日時情報を楽曲ＤＢ制御部２０２に伝送する。該楽曲ＤＢ制御部２０２は、前記日時情報を、ネットワーク通信部２０１を通じて楽曲ＤＢ１０１に送信する（ステップＳ３０３）。
【００４３】
再生装置１０３側でのステップＳ３０３の実行に対応して、楽曲ＤＢ１０１は、ネットワーク１０２を介して、再生装置１０３のネットワーク通信部２０１から前記日時情報を受信する（ステップＳ３０４）。
【００４４】
楽曲ＤＢ１０１は、受信した日時情報に基づいて、該当する週のランキングデータを楽曲データ管理情報１０５より生成する（ステップＳ３０５）。このとき、楽曲ＤＢ１０１は、再生装置１０３から、ランキングデータの対象期間（つまり、週毎なのか月毎なのか）の情報を併せて受け取り、その該当期間に基づきランキングデータを生成しても良い。
【００４５】
楽曲ＤＢ１０１は、前記ランキングデータを生成すると、このランキングデータを、ネットワーク１０２を介し再生装置１０３に対して送信する（ステップＳ３０６）。このとき、楽曲ＤＢ１０１は、前記ランキングデータに含まれる各楽曲について、楽曲毎に、楽曲を構成する複数のパートに関する前述のパート情報、つまり、イントロ，Ａメロ（パートＡ），Ｂメロ（パートＢ），サビ，エンディングといった、パート構成を表す情報（パート構成情報）を併せて送信する。
【００４６】
楽曲ＤＢ１０１側でのステップＳ３０６の実行に対応して、再生装置１０３では、ネットワーク１０２を通じて送信されて来たランキングデータ及び楽曲毎のパート構成情報を、ネットワーク通信部２０１により受信する（ステップＳ３０７）。
【００４７】
受信されたランキングデータ及びパート構成情報は、楽曲ＤＢ制御部２０２を通じてＢＧＭ選曲部２０５に伝送される。ＢＧＭ選曲部２０５では、伝送されたランキングデータの全て、若しくはユーザが好みのジャンルを指定している場合には、当該好みのジャンルから選曲を行う（ステップＳ３０８）。このステップＳ３０８での選曲処理の詳細については、後述する。
【００４８】
ＢＧＭ選曲部２０５は、選曲処理が終了すると、楽曲ＤＢ制御部２０２に対して、楽曲ＤＢ１０１から該当する楽曲の楽曲データの取得要求を行うように指示する（ステップＳ３０９）。
【００４９】
再生装置１０３側でのステップＳ３０９の実行に対応して、楽曲ＤＢ１０１は、再生装置１０３のネットワーク通信部２０１から、ネットワーク１０２を介して、楽曲データの取得要求を受信する。このとき、楽曲ＤＢ１０１が受信する情報には、楽曲を特定する識別符号や番号だけでなく、その特定された楽曲のパート構成等の構成情報が含まれていてもよい。
楽曲ＤＢ１０１は、受信した楽曲データ取得要求に該当する楽曲データを生成し（ステップＳ３１０）、ネットワーク１０２を介して、当該楽曲データを再生装置１０３に対して送信する（ステップＳ３１１）。
【００５０】
楽曲ＤＢ１０１側でのステップＳ３１１の実行に対応して、再生装置１０３では、ネットワーク１０２を通じて送信されて来た楽曲データを、ネットワーク通信部２０１により受信する。この受信した楽曲データは、ネットワーク通信部２０１から楽曲データ再生部２０６へ伝送される（ステップＳ３１２）。
【００５１】
楽曲データ再生部２０６は、楽曲データの受信が完了すると、再生制御部２１０に対して、受信が完了したことを通知する。再生制御部２１０は、楽曲データ再生部２０６からの楽曲データ受信完了通知を受け取ると、映像データ再生部２０８に対して、映像データの再生を指示する一方、楽曲データ再生部２０６には、受信した楽曲データの再生を指示する（ステップＳ３１３）。
【００５２】
映像データ再生部２０８は、記録メディア２０３の映像データ２０４から再生指示された映像データを取得し、再生処理を行い、映像信号をモニタ２１２へ出力する。楽曲データ再生部２０６は、楽曲ＤＢ１０１より受信した楽曲データの再生処理を行い、オーディオ信号をスピーカ２１１へ出力する（ステップＳ３１４）。
これにより、記録メディア２０３に記録されていた映像データと、楽曲ＤＢ１０１からダウンロードしたＢＧＭの楽曲データと、が併せて（同時に）再生される。
【００５３】
〔１−４．選曲処理の動作〕
図４は、ＢＧＭ選曲部２０５が行う選曲処理（図３におけるステップＳ３０８参照）の動作を、より詳細に示すフローチャートである。
まず、ＢＧＭ選曲部２０５は、ネットワーク１０２を通じて送信されて来たランキングデータ（及び楽曲毎のパート構成情報）を、ネットワーク通信部２０１により受信する（ステップＳ４０１）。このステップＳ４０１の処理は、図３におけるステップＳ３０７の処理に相当している。
【００５４】
ランキングデータを受信すると、ＢＧＭ選曲部２０５は、ユーザからユーザ操作制御部２０９に対して好みのジャンルの指定があったか否かを判定する（ステップＳ４０２）。
【００５５】
ユーザから好みのジャンルの指定があった場合（ステップＳ４０２：ＹＥＳ）には、ＢＧＭ選曲部２０５は、指定されたジャンルに基づきランキングデータの選択とソートを行い（ステップＳ４０３）、受信したランキングデータの変換を行う。
この後、ＢＧＭ選曲部２０５は、ランキングデータの上位から楽曲を選曲するためランキング１位（Ｎ＝１）の楽曲より選曲処理を開始する（ステップＳ４０４）。
一方、ユーザから好みのジャンルの指定がなかった場合（ステップＳ４０２：ＮＯ）には、ＢＧＭ選曲部２０５は、ステップＳ４０３のランキングソートを経ることなく、ステップＳ４０４を実行し、ランキング１位（Ｎ＝１）の楽曲より選曲処理を開始する。
【００５６】
次に、ＢＧＭ選曲部２０５は、ランキング１位（Ｎ＝１）の楽曲が既に他の映像データに対して選曲されていないか（未選曲か）を判定する（ステップＳ４０５）。ランキング１位の楽曲データが既に他の映像データに対して選曲されている場合（選曲済み）には、ＢＧＭ選曲部２０５は、ランキング２位（Ｎ＝２）の楽曲を選択し（ステップＳ４０６）、このランキング２位（Ｎ＝２）の楽曲が未選曲であるか否かを判定する（ステップＳ４０５）。
【００５７】
このようにして、ＢＧＭ選曲部２０５は、ランキングＮ位の楽曲が未選曲であるか否かを判定し（ステップＳ４０５）、このランキングＮ位の楽曲が選曲済みである場合には、ランキング（Ｎ＋１）位の楽曲を選択し（ステップＳ４０６）、このランキング（Ｎ＋１）位の楽曲が未選曲であるか否かを判定する（ステップＳ４０５）。そして、この一連のステップ（ステップＳ４０５及びＳ４０６）を、未選曲な楽曲を見出すまで繰り返して実行する。
【００５８】
そして、ステップＳ４０５の判定ステップにて未選曲の楽曲が見出されると（ステップＳ４０５：ＹＥＳ）、ＢＧＭ選曲部２０５は、再生指示された映像データの再生時間（再生シーンの長さ）を取得する（ステップＳ４０７）。
【００５９】
本実施形態では、ＢＧＭ選曲部２０５は、再生指示された映像データの再生時間と選択された曲の本来の楽曲データの再生時間とを対比し、何れの再生時間がより長いか等に応じて、選択された楽曲について、再生すべきパートを組み合わせたパート構成のデータ（以下、これを「楽曲再生データ」と称する）を作成し、この楽曲再生データの再生時間が、映像データの再生時間と同程度の長さとなるように、楽曲再生データを構成する（ステップＳ４０８）。
【００６０】
そして、ＢＧＭ選曲部２０５は、ステップＳ４０５で選曲された楽曲を指定する情報と、ステップＳ４０８にて作成された楽曲再生データのパート構成情報に基づいて、楽曲ＤＢ１０１に対して、送信すべき楽曲再生データを要求する（ステップＳ４０９）。
この楽曲再生データの作成（ステップＳ４０８）及び楽曲再生データの要求（ステップＳ４０９）については、以下に詳しく説明する。
【００６１】
〔１−５．楽曲再生データの作成〕
図５は、楽曲のパート構成の一例を示す模式図である。この例では、楽曲は、イントロ，パートＡ（所謂Ａメロ），パートＢ（所謂Ｂメロ），サビ，エンディングの５つのパートで構成されている。この場合、各パートの再生時間（パート時間）は、イントロがＴｉ秒，パートＡがＴａ秒，パートＢがＴｂ秒，サビがＴｈ秒，エンディングがＴｅ秒で表され、楽曲全体の再生時間（つまり、本来の楽曲の再生時間）はＴｍ秒で表されている。
【００６２】
本実施形態では、１つの楽曲中で、例えばより印象深いパートを優先的に選定すべく、各パートに選定の優先順位を定めている。図５の例では、最も印象深い「サビ」のパートを最も優先的に選定し、これに続いて、パートＡ，パートＢ，イントロ，エンディングの順に優先的に選定するようにしている。
尚、この選定の優先順位は、楽曲再生データのパート構成の順番（つまり、再生の優先順位）と一致させる必要はない。例えば、楽曲の再生時間が映像データの再生時間よりも長く、５つのパートのうち、エンディングを除いて、サビ，パートＡ，パートＢ，イントロがこの優先順位で選定されている場合、楽曲再生データのパート構成としては、例えば、イントロ，サビ，パートＡ，パートＢの順番とするなど、映像や楽曲の内容に応じて、ユーザにとって好適な順序でパート構成を行えばよい。
【００６３】
次に、再生装置１０３によって楽曲再生データのパート構成処理を行う場合について、図６のフローチャートを参照しながら説明する。
ＢＧＭ選曲部２０５は、まず、再生シーンの長さ、つまり映像データ２０４の再生時間（Ｔｒ秒）、並びに楽曲の本来の時間データ、つまり図５に示した各パートの再生時間（Ｔｉ，Ｔａ，Ｔｂ，Ｔｈ，Ｔｅ秒）及び楽曲全体の再生時間（Ｔｍ秒）を取得する（ステップＳ６０１）。この楽曲の本来の時間データ（各パートの再生時間および楽曲全体の再生時間）は、前述のように、図３のステップＳ３０７で、ランキングデータと併せて受信した楽曲毎のパート構成情報に基づくものである。
【００６４】
次に、ＢＧＭ選曲部２０５は、映像データ２０４の再生時間Ｔｒがサビ部分の再生時間Ｔｈ以下であるか（Ｔｒ≦Ｔｈ）否かを判定する（ステップＳ６０２）。この判定結果がＹＥＳの場合には、サビ部分のみを選定し、楽曲ＤＢ制御部２０２を介して、楽曲ＤＢ１０１に対しサビ部分のみを送信要求する（ステップＳ６０３）。この場合には、楽曲再生データは、サビ部分のみのパートで構成されることになる。
【００６５】
前記ステップＳ６０２での判定結果がＮＯの場合、つまり、映像データ２０４の再生時間Ｔｒがサビ部分の再生時間Ｔｈよりも長い場合には、ＢＧＭ選曲部２０５は、映像データの再生時間Ｔｒが、サビ部分にパートＡを加算した再生時間（Ｔｈ＋Ｔａ）以下であるか（Ｔｒ≦（Ｔｈ＋Ｔａ））否かを判定する（ステップＳ６０４）。この判定結果がＹＥＳの場合には、サビ部分とパートＡとを選定し、楽曲ＤＢ制御部２０２を介して、楽曲ＤＢ１０１に対しサビ部分とパートＡとを送信要求する（ステップＳ６０５）。この場合には、楽曲再生データは、サビ部分とパートＡとで構成されることになる。
【００６６】
前記ステップＳ６０４での判定結果がＮＯの場合、つまり、映像データ２０４の再生時間Ｔｒが、サビ部分にパートＡを加算した再生時間（Ｔｈ＋Ｔａ）よりも長い場合には、ＢＧＭ選曲部２０５は、映像データの再生時間Ｔｒが、サビ部分にパートＡ及びパートＢを加算した再生時間（Ｔｈ＋Ｔａ＋Ｔｂ）以下であるか（Ｔｒ≦（Ｔｈ＋Ｔａ＋Ｔｂ））否かを判定する（ステップＳ６０６）。この判定結果がＹＥＳの場合には、サビ部分とパートＡとパートＢとを選定し、楽曲ＤＢ制御部２０２を介して、楽曲ＤＢ１０１に対しサビ部分とパートＡとパートＢとを送信要求する（ステップＳ６０７）。この場合には、楽曲再生データは、サビ部分とパートＡとパートＢとで構成されることになる。
【００６７】
前記ステップＳ６０６での判定結果がＮＯの場合、つまり、映像データ２０４の再生時間Ｔｒが、サビ部分にパートＡ及びパートＢを加算した再生時間（Ｔｈ＋Ｔａ＋Ｔｂ）よりも長い場合には、ＢＧＭ選曲部２０５は、映像データの再生時間Ｔｒが、サビ部分にパートＡ，パートＢ及びイントロ部分を加算した再生時間（Ｔｈ＋Ｔａ＋Ｔｂ＋Ｔｉ）以下であるか（Ｔｒ≦（Ｔｈ＋Ｔａ＋Ｔｂ＋Ｔｉ））否かを判定する（ステップＳ６０８）。この判定結果がＹＥＳの場合には、エンディング部分を除くパートを選定し、楽曲ＤＢ制御部２０２を介して、楽曲ＤＢ１０１に対しエンディング部分を除いたパートを送信要求する（ステップＳ６０９）。この場合には、楽曲再生データは、エンディング部分のみを除いて、サビ部分とパートＡとパートＢとイントロ部分とで構成されることになる。
【００６８】
前記ステップＳ６０８での判定結果がＮＯの場合、つまり、映像データ２０４の再生時間Ｔｒが、エンディング部分のみを除いたパートの再生時間（Ｔｈ＋Ｔａ＋Ｔｂ＋Ｔｉ）よりも長い場合には、ＢＧＭ選曲部２０５は、楽曲全体の全てのパートを選定し、楽曲ＤＢ制御部２０２を介して、楽曲ＤＢ１０１に対し楽曲全体の全てのパートを送信要求する（ステップＳ６１０）。この場合には、楽曲再生データは、楽曲全体の全てのパートで構成されることになる。
【００６９】
このように映像データ２０４の再生時間Ｔｒが楽曲全体の再生時間Ｔｍよりも長い場合には、その差の程度に応じて、楽曲再生データのパート構成を種々に工夫することができる。例えば、映像データの再生時間Ｔｒが楽曲全体の再生時間Ｔｍよりも大幅に長い場合（例えば２倍以上）には、楽曲全体が繰り返して再生されるように楽曲再生データを構成してもよい。
或いは、ＢＧＭ選曲部２０５は、同じ楽曲の繰り返し再生を行うのではなく、図４のフローチャート中のステップＳ４０５及びＳ４０６で示される処理を再度行って、未選択の楽曲を新たに選び、当該楽曲の再生に続いて前記新たな楽曲が再生されるように、楽曲再生データを構成してもよい。
【００７０】
〔１−６．実施の形態１のまとめ〕
以上のように、本実施形態によれば、ビデオカメラで撮影した映像データの視聴時に、撮影の日時情報に合わせた楽曲データをＢＧＭとして付加することができる。
特に、再生指示された映像データ２０４の再生時間Ｔｒと選択された楽曲データの再生時間Ｔｍとを対比し、何れの再生時間がより長いか等に応じて、選択された楽曲について、再生すべきパートを組み合わせたパート構成のデータ（楽曲再生データ）を作成し、この楽曲再生データの再生時間が、映像データの再生時間と同程度の長さとなるように、楽曲再生データを構成することができる。
すなわち、再生装置１０３側に記録した映像データ２０４と外部サーバとしての楽曲ＤＢ１０１からダウンロードしたＢＧＭの楽曲データとを併せて再生するに際し、映像データ２０４の再生時間Ｔｒとできるだけ過不足のない再生時間Ｔｍを有する楽曲再生データをＢＧＭとして再生することができるのである。
【００７１】
この場合において、選曲された楽曲の全体を構成する複数のパートのうちの一部のパートのパートデータで楽曲再生データを構成することにより、映像データ２０４の再生時間Ｔｒが楽曲全体の再生時間Ｔｍよりも短い場合でも、楽曲ＤＢ１０１から受信する楽曲再生データの再生時間Ｔｍを、映像データ２０４の再生時間Ｔｒと同程度の長さに構成することができる。
【００７２】
この場合、好ましくは、前記楽曲再生データには、当該楽曲中で最も印象深いサビの部分に対応するパートデータが含まれるように構成することにより、ユーザは、映像データ２０４と併せて再生するＢＧＭがどんな楽曲であるかを即座に知ることができる。
【００７３】
また、好ましくは、再生装置１０３側では、特定日時におけるランキングデータを楽曲ＤＢ１０１から受信し、このランキングデータと、再生済みの映像データと併せて既に再生済みの楽曲に関するデータとに基づいて、今回再生する映像データと併せて再生すべき楽曲が選定される。従って、既にダウンロードしてＢＧＭとして用いた曲が再度選択されてしまうことはなく、当該映像データ毎に固有の印象を付与することができる。つまり、同じ楽曲データが別の映像データで使用されることがなく、ユーザは編集処理を行うことなく、バラエティにとんだ楽曲をＢＧＭとして楽しむことができる。
【００７４】
〔２．実施の形態２〕
前述の実施の形態１では、楽曲再生データのパート構成処理は再生装置１０３側で行われていたが、この代わりに、同パート構成処理を楽曲ＤＢ１０１側で行うようにすることもできる。
次に、楽曲ＤＢ１０１によって楽曲再生データのパート構成処理を行うようにした実施の形態２について、図７のフローチャートを参照しながら説明する。尚、以下の説明において、実施の形態１における場合と同様の構成を備え同様の作用をなすものについては、同一の符号を付し、それ以上の説明は省略する。
【００７５】
楽曲ＤＢ１０１は、まず、ネットワーク１０２を介して、再生装置１０１側から、再生シーンの長さ、つまり映像データ２０４の再生時間（Ｔｒ秒）と選曲された楽曲名とを取得する。この場合、楽曲名は、当該楽曲のコード番号等で特定されるものである（ステップＳ７０１）。
楽曲ＤＢ１０１は、楽曲の時間データ、つまり図５に示した各パートの再生時間（Ｔｉ，Ｔａ，Ｔｂ，Ｔｈ，Ｔｅ秒）及び楽曲全体の再生時間（Ｔｍ秒）を、楽曲毎に保持している。
【００７６】
楽曲ＤＢ１０１は、選曲された楽曲の時間データと、ステップＳ７０１で取得した映像データ２０４の再生時間Ｔｒとに基づいて、ステップＳ７０２からステップＳ７１０の一連のステップを実行する。このステップＳ７０２からステップＳ７１０の一連のステップは、図６のフローチャートにおけるステップＳ６０２からステップＳ６１０の一連のステップに相当するものである。
【００７７】
すなわち、楽曲ＤＢ１０１は、映像データ２０４の再生時間Ｔｒがサビ部分の再生時間Ｔｈ以下である（Ｔｒ≦Ｔｈ）場合には、サビ部分のみを選定し、ネットワーク１０２を介して、再生装置１０３に対しサビ部分のみを送信する（ステップＳ７０３）。
【００７８】
また、映像データの再生時間Ｔｒが、サビ部分にパートＡを加算した再生時間（Ｔｈ＋Ｔａ）以下である（Ｔｒ≦（Ｔｈ＋Ｔａ））場合には、楽曲ＤＢ１０１は、サビ部分とパートＡとを選定し、再生装置１０３に対しサビ部分とパートＡとを送信する（ステップＳ７０５）。
【００７９】
更に、映像データの再生時間Ｔｒが、サビ部分にパートＡ及びパートＢを加算した再生時間（Ｔｈ＋Ｔａ＋Ｔｂ）以下である（Ｔｒ≦（Ｔｈ＋Ｔａ＋Ｔｂ））場合には、楽曲ＤＢ１０１は、サビ部分とパートＡとパートＢとを選定し、再生装置１０３に対しサビ部分とパートＡとパートＢとを送信する（ステップＳ７０７）。
【００８０】
また更に、映像データの再生時間Ｔｒが、サビ部分にパートＡ，パートＢ及びイントロ部分を加算した再生時間（Ｔｈ＋Ｔａ＋Ｔｂ＋Ｔｉ）以下である（Ｔｒ≦（Ｔｈ＋Ｔａ＋Ｔｂ＋Ｔｉ））場合には、楽曲ＤＢ１０１は、エンディング部分を除く他の全てのパートを選定し、再生装置１０３に対しエンディング部分を除いた他の全てのパートを送信する（ステップＳ７０９）。
【００８１】
また更に、映像データの再生時間Ｔｒが、エンディング部分のみを除いたパートの再生時間（Ｔｈ＋Ｔａ＋Ｔｂ＋Ｔｉ）よりも長い場合（ステップＳ７０８：ＮＯの場合）には、楽曲ＤＢ１０１は、楽曲全体の全てのパートを選定し、再生装置１０３に対し楽曲全体の全てのパートを送信する（ステップＳ７１０）。
【００８２】
このように楽曲ＤＢ１０１側で楽曲再生データのパート構成処理を行う場合、楽曲ＤＢ１０１は、楽曲毎のパート構成ルールやパート選定の優先順位等のパート構成情報を、予め再生装置１０３側から取得し記録しておき、パート構成作成処理で役立てるようにすることもできる。
【００８３】
〔３．その他の実施の形態〕
以上の実施形態では、再生指示された映像データの再生時間と選択された楽曲データの再生時間とを対比し、何れの再生時間がより長いか等に応じて、選択された楽曲について、再生すべきパートを組み合わせたパート構成のデータ（楽曲再生データ）を作成し、この楽曲再生データの再生時間が、映像データの再生時間と同程度の長さとなるように、楽曲再生データを構成するようにしたものであったが、この代わりに、或いはかかる手法と組み合わせて、選択された楽曲のテンポを変えることによって、楽曲再生データの再生時間が映像データの再生時間と同程度の長さとなるようにすることもできる。
すなわち、再生指示された映像データの再生時間と選択された楽曲データの再生時間よりも短い場合には、楽曲データを圧縮してテンポを速めるようにしてもよく、逆の場合には、楽曲データの再生テンポをゆっくりするようにしてもよい。
【００８４】
また、以上の実施形態では、楽曲ＤＢは、再生装置の外部に設けてネットワークを介して再生装置に接続するようにしていたが、類似の機能を有する楽曲ＤＢを再生装置本体内に設けるようにしてもよい。つまり、ランキングデータは、再生時に外部の楽曲ＤＢに問い合わせるのではなく、再生装置内に設けた記憶部に記憶させておき、そのランキングデータを使用して選曲処理を行うようにしてもよい。
【００８５】
更に、選曲処理において使用するジャンル指定は、ユーザからの指示だけでなく、映像信号のシーンからジャンル指定情報を生成するようにしてもよい。
また更に、映像データとして静止画データを使用し、選曲された楽曲を、例えばスライドショーとして再生する際のＢＧＭとして利用するようにしてもよい。
【産業上の利用可能性】
【００８６】
本発明は、ビデオカメラ等で撮影した映像データを再生する再生装置，再生システム及びサーバに関し、特に、映像データと併せてＢＧＭを挿入して再生することができる再生装置及び再生システム、並びにこれらに用いるサーバとして、有効に利用することができる。
【符号の説明】
【００８７】
１０１    楽曲ＤＢ
１０２    ネットワーク
１０３    映像再生装置
２０１    ネットワーク通信部
２０２    楽曲ＤＢ制御部
２０３    記録メディア
２０４    映像データ
２０５    ＢＧＭ選曲部
２０６    楽曲データ生成部
２０７    映像データ管理部
２０８    映像データ再生部
２０９    ユーザ操作制御部
２１０    再生制御部
２１１    スピーカ
２１２    モニタ
【図１】
2011216178.tif 000003
【図２】
2011216178.tif 000004
【図３】
2011216178.tif 000005
【図４】
2011216178.tif 000006
【図５】
2011216178.tif 000007
【図６】
2011216178.tif 000008
【図７】
2011216178.tif 000009